(57)【要約】【課題】  電源と該電源からの電力供給によって動作する電気ヒータのような制御対象機器との間に設けられるコントローラに対する誤配線を、迅速且つ容易に検知できる装置を提供する。【解決手段】  コントローラ３は、その電源接続端子部４ｂとヒータ２に接続される機器接続端子部５との間にそれぞれ接続され、制御部８からの制御信号ＣＳによって開閉される２つの接点部１３，１４と、該２つの接点部と並列に接続され、機器接続端子部５に電源１が接続されたときに機器接続端子部５から電流が流れる通電検出手段１５とを備え、該通電検出手段１５からの出力により、コントローラ３に対する電源の誤結線を検知する。【選択図】  図２
2010019576.tif 000002
【特許請求の範囲】
【請求項１】
電源と該電源からの電力供給によって動作する制御対象機器との間に設けられる制御装置に対する誤配線を検出する誤配線検出装置であって、
前記制御装置の電源接続端子部と前記制御対象機器に接続される機器接続端子部との間にそれぞれ接続され、前記制御装置からの制御信号によって開閉される２つの接点部と、
前記２つの接点部と並列に接続され、前記機器接続端子部に前記電源が電気的に接続されたときに前記機器接続端子部から流れる電流によって出力する検出回路とを備え、
前記検出回路からの出力により、前記制御装置に対する電源の誤結線を検知することを特徴とする誤配線検出装置。
【請求項２】
前記検出回路は、前記２つの接点部より電源接続端子部側で前記電源接続端子部と前記機器接続端子部とを結ぶ２本の接続線の間に互いに逆向きに直列接続された２つのダイオードと、前記２つの接点部より機器接続端子部側で前記２本の接続線の間に直列接続された２つの抵抗と、前記２つのダイオードの接続点と２つの抵抗の接続点との間に接続された通電検出手段とで構成され、該通電検出手段から出力することを特徴とする請求項１記載の誤配線検出装置。
【請求項３】
前記通電検出手段は、前記２つの接続点の間に発光部が接続され、受光部から出力するフォトカプラからなることを特徴とする請求項２記載の誤配線検出装置。
【発明の詳細な説明】
【技術分野】
【０００１】
本発明は、電源と該電源からの電力供給によって動作する制御対象機器との間に設けられる制御装置に対する誤配線を検出する誤配線検出装置に関する。
【背景技術】
【０００２】
従来、電気ヒータを内蔵した床暖房パネルを専用のコントローラに配線ケーブルを介して接続し、当該コントローラで電源からヒータへの通電を制御することによって床暖房パネルの表面温度を制御するようにした床暖房装置が知られている。コントローラには、ヒータを接続するヒータ線とヒータ及びコントローラへ電力を供給するための電源線とを構成する少なくとも２種類のケーブルが接続される。
【０００３】
また、下記特許文献１に示されるように、ヒータと床温センサとを内蔵した複数の床暖房パネルの電源線とセンサ線とが、床暖房パネルごとに設けられた複数のコントローラに個別に配線接続され、床温センサにより温度を検出して床暖房パネルごとの床表面温度を制御できるようにした床暖房装置が知られている。この種の床暖房装置において、複数のコントローラが壁などに併設されているときは、工事段階でセンサ線の誤配線が発生しやすくなる。例えば、２つの床温センサを２つの床暖房パネル内にそれぞれ入れる際に入れ間違い、或いはセンサ線の配線間違いをする可能性がある。このような誤配線のままで運転すると、温度制御ができなくなる。
【０００４】
そこで、特許文献１に開示された発明(先行技術)では、床暖房パネルにアース電極線を設けると共に、コントローラにセンサ線を介して床暖房パネルのアース電位変動を検知する検知手段を設け、電源投入時点から所定時間内に電源投入された床暖房パネルのアース電位変動が検知されないときには、センサ線の誤配線と判断してエラー表示をすることにより、工事段階でコントローラへのセンサ線の誤配線を容易に検知できるようにしている。
【特許文献１】特開２００３−４５６１４号公報
【発明の開示】
【発明が解決しようとする課題】
【０００５】
しかしながら、コントローラには、センサ線のほかに上記のヒータ線と電源線とが配線接続されるのであり、工事段階或いはメンテナンス時に、これらの配線を構成する少なくとも２種類のケーブルを接続する作業がなされる。ところが、ヒータ線と電源線には、それぞれ２本ずつ、いずれも同径（又は同形）のケーブルが用いられており、これらを接続するコントローラ側の端子部に結線する際には、誤配線(結線ミス)が発生しやすく、そのような誤配線が生じると床暖房装置が正常に作動しないだけでなく、電源を入れてからでないと結線ミスに気づかないため、短絡による事故を引き起こす恐れがある。
【０００６】
このような事故の予防措置としては、誤配線が生じないようにすることが最善であるが、現状の配線用ケーブルの仕様では、コントローラの端子への結線ミスを完全になくすことは困難である。特に、１台のコントローラで２つの床暖房パネルの温度(ヒータ)を制御する構成の床暖房装置においては、当該コントローラへの電源線とヒータ線は間違いなく結線されるが、他の床暖房パネル用の電源線とヒータ線については、各ケーブルが同径（又は同形）であることやコントローラの電源側端子とヒータ側端子も同様な形状であること等の理由により、電源線とヒータ線をコントローラ側の端子に逆に接続してしまいがちである。特に問題となるのは、本来ヒータを接続すべき端子に電源を接続してしまうことであり、これに気づかないと電源間で短絡が生ずる恐れがある。
【０００７】
このような誤配線は、上記特許文献１に示された先行技術では検知することができない。なぜなら、先行技術では、電源投入後に生じる床暖房パネルのアース電位変動がセンサ線を介して検知されないことに基づいてコントローラへのセンサ線の誤配線を判断しており、このようなセンサ線を介しての暖房パネルのアース電位変動による検知方法を、センサ線とは機能が異なる電源線とヒータ線の誤配線の検出に用いることはできないからである。
【０００８】
本発明は、上記の問題点に鑑み、電源からの電力供給によって動作する床暖房用ヒータのような制御対象機器との間に設けられるコントローラに対する誤配線を、迅速且つ容易に検知できる装置を提供することを目的とする。
【課題を解決するための手段】
【０００９】
本発明は、電源と該電源からの電力供給によって動作する制御対象機器との間に設けられる制御装置に対する誤配線を検出する誤配線検出装置であって、
前記制御装置の電源接続端子部と前記制御対象機器に接続される機器接続端子部との間にそれぞれ接続され、前記制御装置からの制御信号によって開閉される２つの接点部と、
前記２つの接点と並列に接続され、前記機器接続端子部に前記電源が電気的に接続されたときに前記機器接続端子部から流れる電流によって出力する検出回路とを備え、
前記検出回路からの出力により、前記制御装置に対する電源の誤結線を検知することを特徴とする。
【００１０】
本発明によれば、例えば床暖房システムの工事段階或いはメンテナンス時に上記のような誤配線が生じた場合には、検出回路からの出力により誤配線を簡単且つ迅速に検知することができるので、従来のように誤配線が床暖房運転まで気づかれないまま放置されて、電源短絡などによる事故が発生し得るという問題が生じない。
【００１１】
本発明において、検出回路は、前記２つの接点部より電源接続端子部側で前記電源接続端子部と機器接続端子部とを結ぶ２本の接続線の間に互いに逆向きに直列接続された２つのダイオードと、前記２つの接点部より機器接続端子部側で前記２本の接続線の間に直列接続された２つの抵抗と、前記２つのダイオードの接続点と２つの抵抗の接続点との間に接続された通電検出手段とで構成することができる。そして、通電検知手段としては、フォトカプラを用いることが好ましい。この場合、給電回路から絶縁した状態で、誤配線を的確に検出することができる。
【発明を実施するための最良の形態】
【００１２】
以下、添付図面を参照して本発明の実施形態について説明する。
【００１３】
本実施形態の誤配線検知装置は、図１に示す電気床暖房システムにおいて、電源（例えば、商用交流電源）１とこの電源１からの電力供給によって動作する制御対象機器（この場合、床暖房パネルのヒータ）２との間に設けられる制御装置（コントローラ）３に対する電源及びヒータとの誤配線を検知するために、当該コントローラ３内に設けられる下記の切換回路と検出回路とからなる。
【００１４】
コントローラ３は、図示しないケーブルを介して電源１に接続される２つの電源接続端子部４ａ，４ｂと、同様にケーブルを介してヒータ２に接続される機器接続端子部５とを備え、これらの端子部の間に接続された切換回路６、検出回路７、制御部８及び表示部９で構成されている。なお、一の電源接続端子部４ａは、電源１から制御部８その他の回路部に給電するための端子、もう一つの電源接続端子部４ｂは、コントローラ３からヒータ線を介してヒータ２に給電するための端子として設けられている。
【００１５】
制御部８は、後述のように構成された切換回路６及び表示部９の動作を制御するＣＰＵと、各回路との接続インタフェースとを含んでいる。また、制御部８には、ヒータ２で加熱される床暖房パネル表面の温度を検出する温度センサ１０が接続されている。
【００１６】
表示部９は、制御部８からの表示信号に応じて、床暖房の温度制御などに必要な設定データ等の表示を行う表示素子（例えば、液晶画面）と、これを駆動するための表示駆動回路とを含んでいる。
【００１７】
切換回路６及び検出回路７は、次のように構成されている。
【００１８】
図２（Ａ）に示すように、ヒータ２への通電のための電源接続端子部４ｂと機器接続端子部５とを結ぶ２本の接続線１１，１２の途中に、上記コントローラ３からの制御信号ＣＳによって駆動される２つのリレーの接点部１３，１４が設けられ、これらの接点部が開閉されることで、電源接続端子部４ｂから機器接続端子部５への通電、従ってヒータへの給電が制御される。このように両端子部の間を結ぶ２本の接続線１１，１２に設けられた２つの接点部１３，１４により、切換回路６が構成されている。
【００１９】
また、２つの接点部１３，１４より電源接続端子部４ｂ側で、２本の接続線１１，１２の間には、２つのダイオードＤ１，Ｄ２が互いに逆向きに直列接続される一方、２つの接点部１３，１４より機器接続端子部５側で、２本の接続線１１，１２の間には、２つの抵抗Ｒ２，Ｒ３が直列接続されている。そして、ダイオードＤ１，Ｄ２の接続点と抵抗Ｒ２，Ｒ３の接続点との間に、抵抗Ｒ１と、通電検出手段としてのフォトカプラ１５の発光部（ダイオード）とが直列接続され、フォトカプラ１５の受光部（トランジスタ）は、その一端（この場合、エミッタ側）が抵抗Ｒ４を介してアースに接続され、他端（この場合、コレクタ側）は制御部８に接続されている。
【００２０】
ここで、コントローラ３に対する電源１とヒータ２の結線が正しい場合、すなわち、電源接続端子部４ｂに電源１が接続され且つ機器接続端子部５にヒータ２が接続された場合には、２つのリレーの接点部１３，１４が閉じると、電源接続端子部４ｂと機器接続端子部５とを結ぶ２本の接続線１１，１２のみを経由して電源１からヒータ２へ給電される。従って、２つのリレーの接点部１３，１４が開閉されることでヒータ２への給電が制御される。
【００２１】
しかしながら、結線が正しくない誤配線として、図２（Ｂ）に示すように、電源１が、電源接続端子部４ｂに接続されるだけでなく、本来ヒータを接続すべき機器接続端子部５にも接続されることが生じ得る。
【００２２】
特に、このような接続ミス（誤配線）は、図３に示すように、コントローラ３が２枚の床暖房パネルのヒータ２ａ，２ｂに電力を供給する２系統に給電可能な端子部５ａ,５ｂを有する場合に起こりやすい。すなわち、１台のコントローラで２つの床暖房パネルの温度(ヒータ)を制御する構成の床暖房装置においては、当該コントローラへの電源線とヒータ線はそれぞれ端子部４ａと５ａに間違いなく結線されるが、他の床暖房パネル用の電源線とヒータ線については、図３に破線で示すように、電源線をヒータ側の端子５ｂに接続してしまうことがあり得る。
【００２３】
上記のような誤配線の場合、図２（Ｂ）の回路では、２つのリレーの接点部１３，１４が開いていても、電源接続端子部４ｂと、電源１が誤って接続された機器接続端子部５との間で、機器接続端子部５側の電源１から接続線１１及び抵抗Ｒ２を通って、或いは接続線１２及び抵抗Ｒ３を通って、フォトカプラ１５の発光部→抵抗Ｒ１→ダイオードＤ１及びＤ２を経由して電源接続端子部４ｂに至る経路に電流が流れるので、フォトカプラ１５の受光部に所定の電圧が発生して検出信号が制御部８に送られる。これにより、誤配線を検知することができる。このフォトカプラ１５と、上記２本の接続線１１，１２の間に接続されたダイオードＤ１，Ｄ２、抵抗Ｒ１，Ｒ２，Ｒ３とにより、検出回路７が構成されている。
【００２４】
また、図２（Ｂ）の回路において、第１の接点１３と第２の接点１４のいずれか一方又は両方が閉じると、両側の電源１が短絡された状態になるので、これを防止するために、上記のように電源１が誤って機器接続端子部５に接続されたときに誤配線を検知することが重要である。
【００２５】
本実施形態では、通電検出手段としてフォトカプラ１５を用いることで、ヒータへの給電回路から電気的に絶縁した状態で、誤配線を検出するようにしている。
【００２６】
なお、図３に示すようなコントローラの端子部においては、本来ヒータを接続する側に電源を、本来電源を接続する側にヒータを夫々接続する誤配線（逆差し）も想定される。この誤配線の場合、図において上側の端子４ｂ，５ｂ（コントローラへの給電を行わない側の端子）に電源とヒータを逆に接続しても、電源からヒータに正常に通電するので、誤配線の検出を行う必要は乏しい。しかしながら、下側の端子４ａ，５ａ（コントローラへの給電を行う側の端子）に電源とヒータを逆に接続したときには、コントローラへの給電が行われず、コントローラが動作しないので、誤配線に気づいて修正作業を行うことが可能である。
【００２７】
図１の床暖房システムは、以上のように構成されているので、コントローラ３の制御下で、次のように動作する。
【００２８】
まず、コントローラ３の端子部に電源１及びヒータ２が正しく接続された状態では、床暖房運転時に、温度センサ１０による検出温度が設定温度より低いとコントローラ３が判断したときには、２つのリレーのコイル部を駆動して、対応する接点部１３，１４を閉じてヒータ２へ通電する。このヒータ２への通電により温度が上昇し、温度センサ１０の検出温度が設定温度より高くなったと判断すると、いずれかのリレーへの通電を停止し、対応する接点部１３又は１４を開いてヒータ２への通電を停止する。以上のような接点部１３，１４の開閉の繰り返しにより、コントローラ３は、床暖房パネルが予め設定した温度になるように制御している。
【００２９】
これに対し、コントローラ３の端子部に電源１が間違って接続された誤配線の状態では、上記のようにフォトカプラ１５からの検出信号により制御部８が誤配線を検知し、それに応じた表示信号を表示部９に送って誤配線を知らせる表示をすることができる。
【００３０】
以上のように、本実施形態の誤配線検出回路によれば、床暖房システムの工事段階或いはメンテナンス時に上記のような誤配線が生じた場合には、通電検出手段としてのフォトカプラ１５からの出力信号により誤配線を簡単且つ迅速に検知することができるので、従来のように誤配線が床暖房運転まで気づかれないまま放置されて、短絡などによる事故が発生し得るという問題がなくなる。また、検出回路はダイオードや抵抗など簡易な回路素子だけで構成されるので、コントローラ３に加えられる構成も簡単で安価なものである。
【００３１】
以上、実施形態について説明したが、本発明はこれに限らない。例えば、上記のように誤配線を検出するための回路は、フォトカプラに限らず、任意の通電検出手段を備えていればよい。
【図面の簡単な説明】
【００３２】
【図１】本発明の実施形態を備えた床暖房システムの構成図である。
【図２】実施形態のコントローラが備える切換回路と誤配線検知回路の構成を示す図で、（Ａ）はコントローラへの電源線とヒータ線が正しく接続された場合、（Ｂ）は誤配線の場合の回路図である。
【図３】コントローラの端子部の説明図である。
【符号の説明】
【００３３】
１・・・電源、２・・・ヒータ、３・・・コントローラ、４・・・電源接続端子部、５・・・機器接続端子部、６・・・切換回路、７・・・検出回路、８・・・制御部、９・・・表示部、１０・・・温度センサ、１１，１２・・・接続線、１３，１４・・・接点部、１５・・・フォトカプラ。
【図１】
2010019576.tif 000003
【図２】
2010019576.tif 000004
【図３】
2010019576.tif 000005